(57)【要約】【課題】本発明は、バルコニー設置方法に関し、ＰＣバルコニーを型枠上に設置する際の作業性と安全性とを向上させることが課題である。【解決手段】スラブ型枠とバルコニー用サポートとを設置した後に、型枠に載置される基部２と、該基部２に水平方向にスライド自在に設けられ先端部までの寸法が付与された目盛り部を有する墨出し腕部３と、該墨出し腕部の先端部に設けられバルコニー端面が当接して位置決めされる当たりプレート４とから構成されたバルコニー位置決め治具１を形成して、その位置決め治具において所定の返り墨に合わせて前記墨出し腕部の墨出しを行って前記基部に対して位置固定し、当該バルコニー位置決め治具を一対で適宜間隔を置いて前記スラブ型枠の所要の位置にセットし、その後、ＰＣバルコニー１１をそのテール部が若干下位置になるように斜めにクレーンで吊り上げて搬入し、前記テール部の端面１１ａを前記当たりプレート４に当接させながら前記サポート上に設置するバルコニー設置方法である。【選択図】　　図２
2004143751.tif 000002
【特許請求の範囲】
【請求項１】
スラブ型枠とバルコニー用サポートとを設置した後に、
型枠に載置される基部と、該基部に水平方向にスライド自在に設けられ先端部までの寸法が付与された目盛り部を有する墨出し腕部と、該墨出し腕部の先端部に設けられバルコニー端面が当接して位置決めされる当たりプレートとから構成されたバルコニー位置決め治具を形成して、その位置決め治具において所定の返り墨に合わせて前記墨出し腕部の墨出しを行って前記基部に対して位置固定し、当該バルコニー位置決め治具を一対で適宜間隔を置いて前記スラブ型枠の所要の位置にセットし、
その後、ＰＣバルコニーをそのテール部が若干下位置になるように斜めにクレーンで吊り上げて搬入し、
前記テール部の端面を前記当たりプレートに当接させながら前記サポート上に設置すること、
を特徴とするバルコニー設置方法。
【請求項２】
型枠に載置される基部と、該基部に水平方向にスライド自在に設けられ先端部までの寸法が付与された目盛り部を有する墨出し腕部と、該墨出し腕部の先端部に設けられバルコニー端面が当接して位置決めされる当たりプレートとから構成されていること、
を特徴とするバルコニー位置決め治具。
【請求項３】
当たりプレートの上部には、傾斜したガイド部が設けられていること、
を特徴とする請求項２に記載のバルコニー位置決め治具。
【請求項４】
墨出し腕部の後端部には、転倒防止用のバランサーが設けられていること、
を特徴とする請求項２に記載のバルコニー位置決め治具。
【請求項５】
基部には、型枠の一部に係合して水平面内の振れを防止する水平振止めプレートが設けられていること、
を特徴とする請求項２に記載のバルコニー位置決め治具。
【発明の詳細な説明】
【０００１】
【発明の属する技術分野】
本発明は、バルコニー設置方法と位置決め治具に係り、詳しくは、工場製作のプレキャスト（以下、ＰＣ）製のバルコニーを型枠上に設置する際の作業性と安全性とを向上させるバルコニー設置方法と位置決め治具に関する。
【０００２】
【従来の技術】
従来において、外廊下やマンション等において、主にＲＣ造の建物におけるＰＣバルコニー１１を型枠に設置するには、従来例▲１▼；図３（Ａ）に示すように、在来型枠と同様にスラブ型枠１２ａを設け、そのスラブ型枠１２ａの上にバルコニー設置位置の墨出しを行い、ＰＣバルコニー１１をクレーンなどで吊り込んで設置する。また、従来例▲２▼；図３（Ｂ）に示すように、バルコニー受けのサポート１４に直接、ＰＣバルコニー１１を吊り込んで直受けさせる。在来側のスラブ型枠１２に予め返り墨を出しておいて、それを基準にしてスケール１５等で出入り調整しながら吊り込み作業するものである（例えば、特許文献１参照。）。
【０００３】
【特許文献１】
特開２００２−１４６９００号公報（第２頁乃至第３頁、第１図、第７図）
【０００４】
【発明が解決しようとする課題】
しかしながら、上記のＰＣバルコニーの吊り込み方法では、例えば、従来例▲１▼ではスラブ型枠の数量が増加してコストが嵩み工期も伸び、外部足場が更に必要となってコストが嵩んでしまう課題がある。また、従来例▲２▼では、一度、サポートにＰＣバルコニーを預けると簡単に動かすことができないので、複数回吊り込みを繰り返すことになり、手間が掛かると共に、作業人員も多く必要となるという課題がある。本発明はこのような課題を解決するために提案されたものである。
【０００５】
【課題を解決するための手段】
上記課題を解決するために、本発明に係るバルコニー設置方法の要旨は、スラブ型枠とバルコニー用サポートとを設置した後に、型枠に載置される基部と、該基部に水平方向にスライド自在に設けられ先端部までの寸法が付与された目盛り部を有する墨出し腕部と、該墨出し腕部の先端部に設けられバルコニー端面が当接して位置決めされる当たりプレートとから構成されたバルコニー位置決め治具を形成して、その位置決め治具において所定の返り墨に合わせて前記墨出し腕部の墨出しを行って前記基部に対して位置固定し、当該バルコニー位置決め治具を一対で適宜間隔を置いて前記スラブ型枠の所要の位置にセットし、その後、ＰＣバルコニーをそのテール部が若干下位置になるように斜めにクレーンで吊り上げて搬入し、前記テール部の端面を前記当たりプレートに当接させながら前記サポート上に設置することである。
【０００６】
本発明に係るバルコニーの位置決め治具の要旨は、型枠に載置される基部と、該基部に水平方向にスライド自在に設けられ先端部までの寸法が付与された目盛り部を有する墨出し腕部と、該墨出し腕部の先端部に設けられバルコニー端面が当接して位置決めされる当たりプレートとから構成されていることである。
【０００７】
前記当たりプレートの上部には、傾斜したガイド部が設けられていること、；前記墨出し腕部の後端部には、転倒防止用のバランサーが設けられていること、；
前記基部には、型枠の一部に係合して水平面内の振れを防止する水平振止めプレートが設けられていること、；
を含むものである。
【０００８】
本発明に係るバルコニー設置方法と位置決め治具によれば、位置決め治具により返り芯から墨出腕部を所定の距離だけ延ばして、スラブ型枠上にセットすることで、ＰＣバルコニーの出入り位置墨が設定される。この位置決め治具の当たりプレートにＰＣバルコニーの端面を当接させながら型枠上にＰＣバルコニーをセットすることで、確実で且つ迅速に設置することができるようになる。また、梁幅寸法を逆算し、梁の内型枠からの寸法を決め、同様にＰＣバルコニーを設置することができるようになる。
【０００９】
また、当たりプレートにガイド部を設けることで、クレーンで吊り上げられたＰＣバルコニーを型枠上に降ろす際の、ガイドとなって作業性が向上する。更に、転倒防止用のバランサーにより、この位置決め治具を型枠上に設置した状態の安定性が向上する。水平振止めプレートにより、水平面内において位置決め治具が捻れたりすることが阻止される。
【００１０】
【発明の実施の形態】
次に、本発明に係るバルコニー設置方法、それに使用するバルコニー位置決め治具１について、図面を参照して説明する。
【００１１】
前記バルコニー位置決め治具１は、図１に示すように、スラブ型枠等の型枠に載置される基部２と、該基部２の上部に設けられた貫通孔に挿通され、水平方向にスライド自在に設けられ先端部３ａまでの寸法が側壁面に付与された目盛り部３ｂを有する墨出し腕部３と、該墨出し腕部３の先端部３ａに設けられバルコニー１１の端面１１ａ（図２参照）が当接して位置決めされる当たりプレート４とから、概略構成されている。
【００１２】
前記当たりプレート４の上部には、内側に傾斜したガイド部４ａが設けられている。また、墨出し腕部３の後端部には、転倒防止用のバランサー５が設けられているとともに、上面には水平器６が設けられ、片側の側壁面には、ビス固定用の粗面７が所要範囲に設けられいる。前記目盛り部３ｂの目盛りは、前記当たりプレート４からの距離を表すようになっている。
【００１３】
前記基部２には、型枠の一部に係合して水平面内の振れを防止する水平振止めプレート８が左右両側に設けられている。この基部２の上部の貫通孔の側壁には、前記墨出し腕部３を位置固定させる固定蝶ビス９が設けられている。更に、上部面には取っ手１０が設けられている。この基部２の幅は、梁等のかぶり厚を確保する鉄筋の配筋間隔を考慮して、それらに邪魔されないようにすべく、例えば、４０ｍｍ程度の幅にしてある。
【００１４】
前記バルコニー位置決め治具１は、取扱いを容易にすべく軽量化を図っており、例えば、アルミニウムなどの軽量材で構成されている。また、墨出し腕部３の後端部には、仮の釘止めなどする場合に備えて、釘用孔３ｃを設けることもある。前記水平振止めプレート８は、例えば、２００〜３００ｍｍ程度の左右長さである。
【００１５】
このような本発明に係るバルコニー位置決め治具１を使用して、例えば、ＲＣ造の建物に、ＰＣバルコニー１１を設置する場合の施工方法を説明する。図２に示すように、前記バルコニー位置決め治具１を形成して用意し、その位置決め治具１をスラブ型枠１２上に載置し、梁型枠１３に基部２を水平振止めプレートで位置合わせしてセットする。
【００１６】
スラブ型枠１２上の返り墨に、目盛り部３ｂの目盛りを合わせるべく、前記墨出し腕部３を適宜にスライドさせる。そして、固定蝶ビス９を締め込んで、墨出し腕部３を基部２に位置固定する。これにより、バルコニーの芯墨に合わせて、当たりプレート４が設定される。
【００１７】
なお、バランサー５があるので固定の必要がないが、場合によっては、釘孔３ｃにより、スラブ型枠１２に釘を打ってバルコニー位置決め治具１を固定するようにしても良い。また、型枠の水平精度は、水平器６にて確認する。
【００１８】
このように、スラブ型枠１２には、一つのＰＣバルコニー１１に対して、２つのバルコニー位置決め治具１を両サイドに設置する。その後、ＰＣバルコニー１１を、そのテール部１１ｂが、図２に示すように、若干下位置になるように斜めにクレーンで吊り上げて搬入する。
【００１９】
そして、所定の設置位置よりもやや梁側になるようにして吊り込む。そして、作業員がこのＰＣバルコニー１１を若干押し戻すようにして、テール部１１ｂの端面１１ａを、ガイド部４ａに当接させる。これにより、ＰＣバルコニー１１の重心が梁側に寄っているので、前記テール部１１ｂの端面１１ａがガイド部４ａ及び当たりプレート４に、容易に当接するようになる。
【００２０】
左右の寄りは、目地幅の板を挿入しておいて、前記端面１１ａを前記当たりプレート４のガイド部４ａに当接させながら、ＰＣバルコニー１１を降下させる。当該ＰＣバルコニー１１は、若干斜めに傾いているのでその重心が梁側に偏るようになり、前記端面１１ａとガイド部４ａ及び当たりプレート４とが自然に当接し、それが維持されながら降下する。
【００２１】
こうして、前記ＰＣバルコニー１１が、サポート１４上に、一度で正確に所定の位置（バルコニー用の芯墨）に合わせて設置される。この作業では、合図者を除けば、バルコニーを引張り込む作業員は、一人で賄うことが可能である。
【００２２】
【発明の効果】
上記説明したように、本発明に係るバルコニー設置方法と位置決め治具は、スラブ型枠とバルコニー用サポートとを設置した後に、型枠に載置される基部と、該基部に水平方向にスライド自在に設けられ先端部までの寸法が付与された目盛り部を有する墨出し腕部と、該墨出し腕部の先端部に設けられバルコニー端面が当接して位置決めされる当たりプレートとから構成されたバルコニー位置決め治具を形成して、その位置決め治具において所定の返り墨に合わせて前記墨出し腕部の墨出しを行って前記基部に対して位置固定し、当該バルコニー位置決め治具を一対で適宜間隔を置いて前記スラブ型枠の所要の位置にセットし、その後、ＰＣバルコニーをそのテール部が若干下位置になるように斜めにクレーンで吊り上げて搬入し、前記テール部の端面を前記当たりプレートに当接させながら前記サポート上に設置するので、少ない作業員で迅速に、ＰＣバルコニーを所定の位置に精度良く設置することが可能となると言う優れた効果を奏するものである。
【００２３】
本発明のバルコニー位置決め治具は、型枠に載置される基部と、該基部に水平方向にスライド自在に設けられ先端部までの寸法が付与された目盛り部を有する墨出し腕部と、該墨出し腕部の先端部に設けられバルコニー端面が当接して位置決めされる当たりプレートとから構成されているので、バルコニーを迅速に且つ精度良く設置することができる。
【００２４】
前記当たりプレートの上部には、傾斜したガイド部が設けられているので、バルコニー降下作業が容易になる。また、墨出し腕部の後端部には、転倒防止用のバランサーが設けられているので、安定してセットすることができる。前記基部には、型枠の一部に係合して水平面内の振れを防止する水平振止めプレートが設けられているので、ＰＣバルコニーの降下時の当接によりこの位置決め治具がブレたりすることが無く、作業能率が向上する。
【図面の簡単な説明】
【図１】本発明に係るバルコニー位置決め治具１の斜視図である。
【図２】同本発明に係るバルコニー設置方法を示す説明図である。
【図３】従来例▲１▼に係る説明図（Ａ）と、従来例▲２▼に係る説明図（Ｂ）である。
【符号の説明】
１　　バルコニー設置方法と位置決め治具、　２　　　基部、
３　　墨出し腕部、　　　　　　　　　　　　３ａ　　先端部、
３ｂ　目盛り部、　　　　　　　　　　　　　４　　　当たりプレート、
５　　バランサー、　　　　　　　　　　　　６　　　水平器、
７　　粗面、　　　　　　　　　　　　　　　８　　　水平振止めプレート、
９　　固定蝶ビス、　　　　　　　　　　　　１０　　取っ手、
１１　ＰＣバルコニー、
１２，１２ａ　　スラブ型枠、　　　　　　　１３　　梁型枠、
１４　サポート、　　　　　　　　　　　　　１５　　スケール。
【図１】
2004143751.tif 000003
【図２】
2004143751.tif 000004
【図３】
2004143751.tif 000005